(57)【要約】      （修正有）【課題】複数のブルートゥースモジュールおよび予め設定された通信順序で、複数の電子装置のブルートゥース信号がリアルタイムに処理され、各電子装置に周期調整要求信号を送信でき、処理の効率を高めるブルートゥースゲートウェイ装置を提供する。【解決手段】ブルートゥースゲートウェイ装置は、第１通信順位を有する第１ブルートゥースモジュールと、第１ブルートゥースモジュールを電気的に接続し、第２通信順位を有する第２ブルートゥースモジュールと、を含み、第１ブルートゥースモジュールおよび第２ブルートゥースモジュールは第１通信順位および第２通信順位のシーケンス順および第１ブルートゥースモジュールおよび第２ブルートゥースモジュールのそれぞれの現在接続状態に基づいて複数の電子装置のうちの一つと通信接続を行うか否かを決定する。【選択図】図１
0003221757.tif 000002
【実用新案登録請求の範囲】
【請求項１】
複数の電子装置を通信接続するためのブルートゥースゲートウェイ装置であって、前記複数の電子装置はそれぞれ装置ブルートゥース通信信号を送信し、
前記ブルートゥースゲートウェイ装置は、
第１通信順位を有する第１ブルートゥースモジュールと、
前記第１ブルートゥースモジュールを電気的に接続し、第２通信順位を有する第２ブルートゥースモジュールと、
を含み、
前記第１ブルートゥースモジュールおよび前記第２ブルートゥースモジュールは、前記第１通信順位および前記第２通信順位のシーケンス順と、前記第１ブルートゥースモジュールおよび前記第２ブルートゥースモジュールのそれぞれの現在接続状態とに基づいて、前記複数の電子装置のうちの一つと通信接続を行うか否かを決定する、ブルートゥースゲートウェイ装置。
【請求項２】
前記第１ブルートゥースモジュールの現在接続状態が接続しており、かつ前記第２ブルートゥースモジュールの前記現在接続状態が接続されていない場合限り、前記第２ブルートゥースモジュールは前記複数の電子装置のうちの一つと通信接続となり、
前記第１ブルートゥースモジュールの現在接続状態が接続しない場合、前記第１ブルートゥースモジュールは前記複数の電子装置のうちの一つと通信接続を行う、請求項１に記載のブルートゥースゲートウェイ装置。
【請求項３】
前記第１ブルートゥースモジュールは、
複数の通信信号を受信するための第１ブルートゥース通信ユニットと、
前記ブルートゥース通信ユニットを電気的に接続する第１ストレージユニットと、
前記ブルートゥース通信ユニットおよび前記ストレージユニットを電気的に接続する第１非同期送受信伝送チャンネルと
を含み、
前記第１ブルートゥース通信ユニットが受信した複数の通信信号は、前記第１非同期送受信伝送チャンネルにより伝送され、
前記第２ブルートゥースモジュールは、
複数の通信信号を受信するための第２ブルートゥース通信ユニットと、
前記ブルートゥース通信ユニットを電気的に接続する第２ストレージユニットと、
前記ブルートゥース通信ユニットおよび前記ストレージユニットを電気的に接続する第２非同期送受信伝送チャンネルと
を含み、
前記第２ブルートゥース通信ユニットが受信した複数の通信信号は、前記第２非同期送受信伝送チャンネルにより伝送される、請求項１に記載のブルートゥースゲートウェイ装置。
【請求項４】
前記複数の電子装置のうちの二つは同時に前記装置ブルートゥース通信信号を送信し、かつ前記第１ブルートゥースモジュールおよび前記第２ブルートゥースモジュールはそれぞれ同時に前記複数の電子装置のうちの二つの装置ブルートゥース通信信号を受信すると、前記複数の電子装置のうちの二つが装置ブルートゥース通信信号の送信周期を調整するように、前記ブルートゥースゲートウェイ装置はそれぞれ前記複数の電子装置のうちの二つに周期調整要求信号を送信する、請求項３に記載のブルートゥースゲートウェイ装置。
【請求項５】
前記第１非同期送受信伝送チャンネルおよび前記第２非同期送受信伝送チャンネルにより伝送された信号は第１無線通信プロトコルによりサーバに伝送される、請求項３に記載のブルートゥースゲートウェイ装置。
【考案の詳細な説明】
【技術分野】
【０００１】
本考案はブルートゥースゲートウェイ装置に関し、特に複数のブルートゥースの接続確立を同時に処理可能なブルートゥースゲートウェイ装置に関する。
【背景技術】
【０００２】
現在、電子製品はブルートゥース（登録商標）による通信を行う場合が多い。しかしながら、ブルートゥース信号が多すぎるため、ユーザゲートウェイ装置は信号の受信漏れや関連するブルートゥース信号への処理に間に合わない問題が生じる可能性がある。
【考案の概要】
【考案が解決しようとする課題】
【０００３】
そのため、如何に処理の効率を有効に高めることができるブルートゥースゲートウェイ装置を提供するかは明らかに既に業界での一つの重要な課題になっている。
【課題を解決するための手段】
【０００４】
上述した事情に鑑み、本考案は複数の電子装置を通信接続するためのブルートゥースゲートウェイ装置を提供し、前記ブルートゥースゲートウェイ装置は第１通信順位を有する第１ブルートゥースモジュールと、前記第１ブルートゥースモジュールを電気的に接続し、第２通信順位を有する第２ブルートゥースモジュールと、を含み、前記第１ブルートゥースモジュールおよび前記第２ブルートゥースモジュールは前記第１通信順位および前記第２通信順位のシーケンス順と、前記第１ブルートゥースモジュールおよび前記第２ブルートゥースモジュールのそれぞれの現在接続状態とに基づいて、前記複数の電子装置のうちの一つと通信接続を行うか否かを決定する。
【０００５】
上述したように、本考案のブルートゥースゲートウェイ装置は複数のブルートゥースモジュールおよび予め設定された通信順序で、複数の電子装置の装置ブルートゥース信号がリアルタイムに処理されるようにし、ユーザの体験が著しく向上し、さらに、本考案のブルートゥースゲートウェイ装置は各電子装置に送信周期を調整するように周期調整要求信号を送信でき、有効に処理の効率を高める。
【０００６】
本考案の上述した特徴や利点をより明らかにするために、以下に、意図的に好ましい実施例を挙げて叙述し、また付随図面に合わせて以下のように詳細に説明する。
【図面の簡単な説明】
【０００７】
【図１】本考案に係る実施例におけるブルートゥースゲートウェイが第１通信装置を通信接続する模式図である。
【図２】本考案に係る実施例におけるブルートゥースゲートウェイが第１通信装置を通信接続する他の模式図である。
【図３】本考案に係る実施例におけるブルートゥースゲートウェイが第１通信装置を通信接続する他の模式図である。
【図４】本考案に係る実施例における第２ブルートゥースモジュールの模式図である。
【図５】本考案に係る実施例における第２ブルートゥースモジュールの模式図である。
【考案を実施するための形態】
【０００８】
以下、図面を参照してより十分に各種の例示的な実施例を叙述し、図面で若干の例示的な実施例を示す。しかし、本考案の概念は多くの異なる形式によって具現化されてよく、本文に叙述された例示的な実施例に限定されて解釈すべきではない。確実に言えば、これら例示的な実施例は本考案をより詳細的かつ全面的に理解するためのものであり、かつ当業者に十分に本考案の概念のカテゴリを伝達するためのものである。各図面において、より明らかにするために、層および区の大きさおよび相対的大きさを誇張して描く。類似した数字は常に類似した素子を指す。
【０００９】
理解すべきことは、本文で第１、第２、第３等の術語を使用して各種の素子を描く可能性があるものの、これら素子がこれら術語に制限されるわけではない。これら術語は一方の素子と他方の素子を区別するために用いられる。従って、後述した第１素子が第２素子と呼ばれても本考案の概念の教示を逸脱することがない。本文に使用されているように、「および／または」という術語は関連する列挙項目のうちのいずれか及び一つまたは複数の組み合わせの全てを含む。
【００１０】
以下、少なくとも一つの実施例を利用し、そして図面に合わせてブルートゥースゲートウェイ装置を説明し、しかし、後述した実施例は本案の開示内容を制限するためのものではない。以下の叙述で、二つ以上の端点のある電子素子は特別な標記があれば、ピン標記をそのピンの叙述とし、特別な標記がなければ、横方向に設けられた両端点の電子素子は左側の端点を第１端とし、右側の端点を第２端とする。もし垂直に設けられた両端点の電子素子であれば、上側の端点を第１端とし、下側の端点を第２端とする。
【００１１】
〔本考案のブルートゥースゲートウェイ装置の実施例〕
図１を参照し、図１は本考案に係る実施例におけるブルートゥースゲートウェイが第１通信装置を通信接続する模式図である。
【００１２】
本実施例で、ブルートゥースゲートウェイ１は処理モジュール１０、第１ブルートゥースモジュール１１、第２ブルートゥースモジュール１２、第３ブルートゥースモジュール１３、および第４ブルートゥースモジュール１４を含む。
【００１３】
処理モジュール１０は第１ブルートゥースモジュール１１、第２ブルートゥースモジュール１２、第３ブルートゥースモジュール１３、および第４ブルートゥースモジュール１４を電気的に接続する。
【００１４】
第１ブルートゥースモジュール１１、第２ブルートゥースモジュール１２、第３ブルートゥースモジュール１３、および第４ブルートゥースモジュール１４はそれぞれ、第１ブルートゥースアンテナ１１１、第２ブルートゥースアンテナ１２１、第３ブルートゥースアンテナ１３１、および第４ブルートゥースアンテナ１４１を介して、第１電子装置ＥＤ１、第２電子装置ＥＤ２、第３電子装置ＥＤ３、または第４電子装置ＥＤ４から送信された装置ブルートゥース通信信号を受信する。
【００１５】
本実施例で、第１ブルートゥースモジュール１１、第２ブルートゥースモジュール１２、第３ブルートゥースモジュール１３、および第４ブルートゥースモジュール１４はそれぞれ、第１通信順位、第２通信順位、第３通信順位、および第４通信順位を有する。
【００１６】
すなわち、第１ブルートゥースモジュール１１の現在接続状態が接続されていない場合には、第２ブルートゥースモジュール１２、第３ブルートゥースモジュール１３、および第４ブルートゥースモジュール１４は各電子装置と通信接続を行うことができない。
【００１７】
第１ブルートゥースモジュール１１の現在接続状態が接続されている時、第２ブルートゥースモジュール１２は各電子装置と通信接続を行うことができる。しかしながら、第３ブルートゥースモジュール１３、および第４ブルートゥースモジュール１４は、まだ各電子装置と通信接続を行うことができない。
【００１８】
すなわち、第１通信順位を有する第１ブルートゥースモジュール１１、第２通信順位を有する第２ブルートゥースモジュール１２がともに電子装置と接続確立した場合のみに、第３ブルートゥースモジュール１３は他の電子装置と通信接続を行うことができる。
【００１９】
すなわち、第１ブルートゥースモジュール１１、第２ブルートゥースモジュール１２、第３ブルートゥースモジュール１３、および第４ブルートゥースモジュール１４は第１通信順位、第２通信順位、第３通信順位、および第４通信順位のシーケンス順および第１ブルートゥースモジュール１１、第２ブルートゥースモジュール１２、第３ブルートゥースモジュール１３、および第４ブルートゥースモジュールのそれぞれの現在接続状態に基づいて、前記複数の電子装置のうちの一つと通信接続を行うか否かを決定する。
【００２０】
換言すれば、第１ブルートゥースモジュール１１の現在接続状態が接続されていなければ、第１ブルートゥースモジュール１１のみは複数の電子装置ＥＤ１−ＥＤ４のうちの一つと通信接続を行うことができる。
【００２１】
図４および図５を参照し、図４および図５はそれぞれ本考案に係る実施例における第１ブルートゥースモジュールおよび第２ブルートゥースモジュールの模式図である。
【００２２】
本実施例で、以下、第１ブルートゥースモジュール１１および第２ブルートゥースモジュール１２のみの構造と機能について説明し、他のブルートゥースモジュールの構造と機能は第１ブルートゥースモジュール１１および第２ブルートゥースモジュール１２と同様であるため、ここで繰り返して説明する必要がない。
【００２３】
本実施例で、第１ブルートゥースモジュール１１は第１ブルートゥースアンテナ１１１、第１ブルートゥース通信ユニット１１Ａ、第１ストレージユニット１１Ｂ、および第１非同期送受信伝送チャンネル１１Ｃを含む。
【００２４】
第１ブルートゥース通信ユニット１１Ａは第１ブルートゥースアンテナ１１１および第１ストレージユニット１１Ｂを電気的に接続する。第１ブルートゥース通信ユニット１１Ａは第１ブルートゥースアンテナ１１１により複数の通信信号を受信する。第１ストレージユニット１１Ｂは第１ブルートゥース通信ユニット１１Ａを電気的に接続する。第１非同期送受信伝送チャンネル１１Ｃは第１ストレージユニット１１Ｂを電気的に接続する。本実施例で、第１ブルートゥース通信ユニット１１Ａは受信した複数の通信信号が第１非同期送受信伝送チャンネル１１Ｃにより伝送される。すなわち、第１ブルートゥース通信ユニット１１Ａは受信した複数の通信信号が処理モジュール１０により処理されずにそのまま第１非同期送受信伝送チャンネル１１Ｃにより伝送され、従って、処理モジュール１０の資源を節約可能である。
【００２５】
類似的には、第２ブルートゥースモジュール１２は第２ブルートゥースアンテナ１１１、第１ブルートゥース通信ユニット１２Ａ、第２ストレージユニット１２Ｂ、および第１非同期送受信伝送チャンネル１１Ｃを含む。
【００２６】
第２ブルートゥース通信ユニット１２Ａは第２ブルートゥースアンテナ１２１および第２ストレージユニット１２Ｂを電気的に接続する。第２ブルートゥース通信ユニット１２Ａは第２ブルートゥースアンテナ１２１により複数の通信信号を受信する。第２ストレージユニット１２Ｂは第２ブルートゥース通信ユニット１１Ａを電気的に接続する。第２非同期送受信伝送チャンネル１２Ｃは第２ストレージユニット１２Ｂを電気的に接続する。本実施例で、第２ブルートゥース通信ユニット１２Ａは受信した複数の通信信号が第２非同期送受信伝送チャンネル１２Ｃにより伝送される。すなわち、第２ブルートゥース通信ユニット１２Ａは受信した複数の通信信号が処理モジュール１０により処理されずにそのまま第２非同期送受信伝送チャンネル１２Ｃにより伝送され、従って、処理モジュール１０の資源を節約可能である。
【００２７】
図１を参照し、本実施例で、第１非同期送受信伝送チャンネル１１Ｃおよび前記第２非同期送受信伝送チャンネル１２Ｃは伝送した信号が第１無線通信プロトコルにより第１通信装置２を通信接続してから、受信された装置ブルートゥース信号がサーバ３に伝送される。
【００２８】
本実施例で、第１ブルートゥースモジュール１１、第２ブルートゥースモジュール１２、第３ブルートゥースモジュール１３、および第４ブルートゥースモジュール１４の第１非同期送受信伝送チャンネル１１Ｃ、第２非同期送受信伝送チャンネル１２Ｃ、第３非同期送受信伝送チャンネル（図示しない）、および第４非同期送受信伝送チャンネル（図示しない）は第１通信アンテナ２１により第１無線通信プロトコルに基づいて第１通信装置２と通信接続する。
【００２９】
本実施例で、第１非同期送受信伝送チャンネル１１Ｃ、第２非同期送受信伝送チャンネル１２Ｃ、第３非同期送受信伝送チャンネル（未図示）、および第４非同期送受信伝送チャンネル（未図示）は直接メモリアクセス技術（Ｄｉｒｅｃｔ  ｍｅｍｏｒｙ  ａｃｃｅｓｓ、  ＤＭＡ）で達成され、他の実施例で、他の技術で達成されてよく、本考案に制限がない。
【００３０】
本実施例で、第１無線通信プロトコルはワイヤレスフィデリティ通信プロトコル、Ｓｉｇｆｏｘ通信プロトコル、ＬｏＲａ通信プロトコル、第４世代移動通信技術通信プロトコル、または第５世代移動通信技術通信プロトコルを含む。
【００３１】
本実施例で、第１電子装置ＥＤ１、第２電子装置ＥＤ２、第３電子装置ＥＤ３、および第４電子装置ＥＤ４は同時に装置ブルートゥース通信信号を送信し、第１ブルートゥースモジュール１１、第２ブルートゥースモジュール１２、第３ブルートゥースモジュール１３、および第４ブルートゥースモジュール１４はそれぞれ同時に、第１電子装置ＥＤ１、第２電子装置ＥＤ２、第３電子装置ＥＤ３、および第４電子装置ＥＤ４から送信された装置ブルートゥース通信信号を受信するようにし、そうすると、第１電子装置ＥＤ１、第２電子装置ＥＤ２、第３電子装置ＥＤ３、および第４電子装置ＥＤ４が装置ブルートゥース通信信号の送信周期を調整するように、ブルートゥースゲートウェイ装置１はそれぞれ第１電子装置ＥＤ１、第２電子装置ＥＤ２、第３電子装置ＥＤ３、および第４電子装置ＥＤ４に周期調整要求信号を送信する。
【００３２】
本実施例で、第１電子装置ＥＤ１、第２電子装置ＥＤ２、第３電子装置ＥＤ３、および第４電子装置ＥＤ４は送信周期を乱数値に乗じて調整することで、第１電子装置ＥＤ１、第２電子装置ＥＤ２、第３電子装置ＥＤ３、および第４電子装置ＥＤ４から送信された装置ブルートゥース通信信号は順次に受信されて処理されるようにする。
【００３３】
〔本考案のブルートゥースゲートウェイ装置の他の実施例〕
図２を参照し、図２は本考案に係る実施例におけるブルートゥースゲートウェイが第１通信装置を通信接続する他の模式図である。
【００３４】
本実施例でブルートゥースゲートウェイ１’は処理モジュール１０’、第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’を含む。
【００３５】
処理モジュール１０’は第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’を電気的に接続する。
【００３６】
第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’は、それぞれ第１ブルートゥースアンテナ１１１’、第２ブルートゥースアンテナ１２１’、第３ブルートゥースアンテナ１３１’、および第４ブルートゥースアンテナ１４１’、第５ブルートゥースアンテナ１５１’、第６ブルートゥースアンテナ１６１’、第７ブルートゥースアンテナ１７１’、および第８ブルートゥースアンテナ１８１’を介して、第１電子装置ＥＤ１、第２電子装置ＥＤ２、第３電子装置ＥＤ３、または第４電子装置ＥＤ４から送信された装置ブルートゥース通信信号を受信する。
【００３７】
本実施例で、第１ブルートゥースモジュール１１’から第８ブルートゥースモジュール１８’はそれぞれ第１通信順位、第２通信順位、第３通信順位、第４通信順位、第５通信順位、第６通信順位、第７通信順位、および第８通信順位を有する。
【００３８】
すなわち、本実施例で、第１ブルートゥースモジュール１１の現在接続状態が接続されていない場合には、他のブルートゥースモジュール１２’〜１８’は各電子装置と通信接続を行うことができない。
【００３９】
他の実施例で、図２に示すように、第１ブルートゥースモジュール１１’から第８ブルートゥースモジュール１８’は、マトリックスに排列され、従って、それぞれのブルートゥースモジュールは異なる列での順に基づいて電子装置と通信接続を行うことができる。すなわち、第１ブルートゥースモジュール１１’および第５ブルートゥースモジュール１５’はそれぞれ同一の時間帯で電子装置と通信接続を行う。第５ブルートゥースモジュール１５’は第１ブルートゥースモジュール１１’、第２ブルートゥースモジュール１２’、第３ブルートゥースモジュール１３’、第４ブルートゥースモジュール１４’がともに各電子装置と通信接続を行った後、他の電子装置と通信接続を行う必要がなくなる。換言すれば、第５ブルートゥースモジュール１５’の通信順位は第２列の各ブルートゥースモジュールで第１順位になる。
【００４０】
他の実施例で、通信順位の調整と設計は実際の要求に応じて調整してよく、本考案に制限がない。
【００４１】
本実施例で、第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’の第１非同期送受信伝送チャンネル（未図示）、第２非同期送受信伝送チャンネル（未図示）、第３非同期送受信伝送チャンネル（未図示）、第４非同期送受信伝送チャンネル（未図示）、第５非同期送受信伝送チャンネル（未図示）、第６非同期送受信伝送チャンネル（未図示）、第７非同期送受信伝送チャンネル（未図示）、および第８非同期送受信伝送チャンネル（未図示）は第１通信アンテナ２１’により第１無線通信プロトコルに基づいて第１通信装置２’と通信接続を行う。
【００４２】
図３を参照し、図３は本考案に係る実施例におけるブルートゥースゲートウェイが第１通信装置を通信接続する他の模式図である。
【００４３】
図３のブルートゥースゲートウェイ装置１’は図２のブルートゥースゲートウェイ装置１’とほとんど同様であるが、相違点について本実施例で、第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’の第１非同期送受信伝送チャンネル（図示しない）、第２非同期送受信伝送チャンネル（図示しない）、第３非同期送受信伝送チャンネル（図示しない）、第４非同期送受信伝送チャンネル（図示しない）、第５非同期送受信伝送チャンネル（図示しない）、第６非同期送受信伝送チャンネル（図示しない）、第７非同期送受信伝送チャンネル（図示しない）、および第８非同期送受信伝送チャンネル（図示しない）はそれぞれ第１通信アンテナ２１’および第２通信アンテナ２２’により第１通信装置２’と通信接続を行う。
【００４４】
本実施例で、第１ブルートゥースモジュール１１’、第２ブルートゥースモジュール１２’、第３ブルートゥースモジュール１３’、および第４ブルートゥースモジュール１４’の第１非同期送受信伝送チャンネル（図示しない）、第２非同期送受信伝送チャンネル（図示しない）、第３非同期送受信伝送チャンネル（図示しない）、第４非同期送受信伝送チャンネル（図示しない）は第１無線通信プロトコルにより第１通信装置２’と通信接続を行う。
【００４５】
第５ブルートゥースモジュール１５、第６ブルートゥースモジュール１６’、第７ブルートゥースモジュール１７’、および第８ブルートゥースモジュール１８’の第５非同期送受信伝送チャンネル（図示しない）、第６非同期送受信伝送チャンネル（図示しない）、第７非同期送受信伝送チャンネル（図示しない）、および第８非同期送受信伝送チャンネル（図示しない）は第２無線通信プロトコルにより第１通信装置２’と通信接続を行う。
【００４６】
本実施例で、第１無線通信プロトコルおよび第２無線通信プロトコルはそれぞれワイヤレスフィデリティ通信プロトコル、Ｓｉｇｆｏｘ通信プロトコル、ＬｏＲａ通信プロトコル、第４世代移動通信技術通信プロトコル、または第５世代移動通信技術通信プロトコルを含む。
【００４７】
〔実施例の産業上の利用可能性〕
本考案のブルートゥースゲートウェイ装置は複数のブルートゥースモジュールおよび予め設定された通信順序で、複数の電子装置の装置ブルートゥース信号がリアルタイムに処理されるようにし、ユーザの体験が著しく向上し、さらに、本考案のブルートゥースゲートウェイ装置は各電子装置に送信周期を調整するように周期調整要求信号を送信でき、有効に処理の効率を高める。
【００４８】
以上は本考案の実施例にすぎず、本考案の実用新案登録請求の範囲を制限するものではない。
【符号の説明】
【００４９】
１、１’  ブルートゥースゲートウェイ装置
２、２’  第１通信装置
３、３’  サーバ
１０、１０’    処理モジュール
１１、１１’    第１ブルートゥースモジュール
１２、１２’    第２ブルートゥースモジュール
１３、１３’    第３ブルートゥースモジュール
１４、１４’    第４ブルートゥースモジュール
１５’    第５ブルートゥースモジュール
１６’    第６ブルートゥースモジュール
１７’    第７ブルートゥースモジュール
１８’    第８ブルートゥースモジュール
１１１、１１１’    第１ブルートゥースアンテナ
１２１、１２１’    第２ブルートゥースアンテナ
１３１、１３１’    第３ブルートゥースアンテナ
１４１、１４１’    第４ブルートゥースアンテナ
１５１’    第５ブルートゥースアンテナ
１６１’    第６ブルートゥースアンテナ
１７１’    第７ブルートゥースアンテナ
１８１’    第８ブルートゥースアンテナ
ＥＤ１    第１電子装置
ＥＤ２    第２電子装置
ＥＤ３    第３電子装置
ＥＤ４    第４電子装置
２１、２１’    第１通信アンテナ
２２’    第２通信アンテナ
１１Ａ    第１ブルートゥース通信ユニット
１１Ｂ    第１ストレージユニット
１１Ｃ    第１非同期伝送チャンネル
１２Ａ    第２ブルートゥース通信ユニット
１２Ｂ    第２ストレージユニット
１２Ｃ    第２非同期伝送チャンネル
【図１】
0003221757.tif 000003
【図２】
0003221757.tif 000004
【図３】
0003221757.tif 000005
【図４】
0003221757.tif 000006
【図５】
0003221757.tif 000007
【手続補正書】
【提出日】平成31年1月10日(2019.1.10)
【手続補正１】
【補正対象書類名】明細書
【補正対象項目名】全文
【補正方法】変更
【補正の内容】
【考案の詳細な説明】
【技術分野】
【０００１】
本考案はブルートゥースゲートウェイ装置に関し、特に複数のブルートゥースの接続確立を同時に処理可能なブルートゥースゲートウェイ装置に関する。
【背景技術】
【０００２】
現在、電子製品はブルートゥース（登録商標）による通信を行う場合が多い。しかしながら、ブルートゥース信号が多すぎるため、ユーザゲートウェイ装置は信号の受信漏れや関連するブルートゥース信号への処理に間に合わない問題が生じる可能性がある。
【考案の概要】
【考案が解決しようとする課題】
【０００３】
そのため、如何に処理の効率を有効に高めることができるブルートゥースゲートウェイ装置を提供するかは明らかに既に業界での一つの重要な課題になっている。
【課題を解決するための手段】
【０００４】
上述した事情に鑑み、本考案は複数の電子装置を通信接続するためのブルートゥースゲートウェイ装置を提供し、前記ブルートゥースゲートウェイ装置は第１通信順位を有する第１ブルートゥースモジュールと、前記第１ブルートゥースモジュールを電気的に接続し、第２通信順位を有する第２ブルートゥースモジュールと、を含み、前記第１ブルートゥースモジュールおよび前記第２ブルートゥースモジュールは前記第１通信順位および前記第２通信順位のシーケンス順と、前記第１ブルートゥースモジュールおよび前記第２ブルートゥースモジュールのそれぞれの現在接続状態とに基づいて、前記複数の電子装置のうちの一つと通信接続を行うか否かを決定する。
【０００５】
上述したように、本考案のブルートゥースゲートウェイ装置は複数のブルートゥースモジュールおよび予め設定された通信順序で、複数の電子装置の装置ブルートゥース信号がリアルタイムに処理されるようにし、ユーザの体験が著しく向上し、さらに、本考案のブルートゥースゲートウェイ装置は各電子装置に送信周期を調整するように周期調整要求信号を送信でき、有効に処理の効率を高める。
【０００６】
本考案の上述した特徴や利点をより明らかにするために、以下に、意図的に好ましい実施例を挙げて叙述し、また付随図面に合わせて以下のように詳細に説明する。
【図面の簡単な説明】
【０００７】
【図１】本考案に係る実施例におけるブルートゥースゲートウェイが第１通信装置を通信接続する模式図である。
【図２】本考案に係る実施例におけるブルートゥースゲートウェイが第１通信装置を通信接続する他の模式図である。
【図３】本考案に係る実施例におけるブルートゥースゲートウェイが第１通信装置を通信接続する他の模式図である。
【図４】本考案に係る実施例における第１ブルートゥースモジュールの模式図である。
【図５】本考案に係る実施例における第２ブルートゥースモジュールの模式図である。
【考案を実施するための形態】
【０００８】
以下、図面を参照してより十分に各種の例示的な実施例を叙述し、図面で若干の例示的な実施例を示す。しかし、本考案の概念は多くの異なる形式によって具現化されてよく、本文に叙述された例示的な実施例に限定されて解釈すべきではない。確実に言えば、これら例示的な実施例は本考案をより詳細的かつ全面的に理解するためのものであり、かつ当業者に十分に本考案の概念のカテゴリを伝達するためのものである。各図面において、より明らかにするために、層および区の大きさおよび相対的大きさを誇張して描く。類似した数字は常に類似した素子を指す。
【０００９】
理解すべきことは、本文で第１、第２、第３等の術語を使用して各種の素子を描く可能性があるものの、これら素子がこれら術語に制限されるわけではない。これら術語は一方の素子と他方の素子を区別するために用いられる。従って、後述した第１素子が第２素子と呼ばれても本考案の概念の教示を逸脱することがない。本文に使用されているように、「および／または」という術語は関連する列挙項目のうちのいずれか及び一つまたは複数の組み合わせの全てを含む。
【００１０】
以下、少なくとも一つの実施例を利用し、そして図面に合わせてブルートゥースゲートウェイ装置を説明し、しかし、後述した実施例は本案の開示内容を制限するためのものではない。以下の叙述で、二つ以上の端点のある電子素子は特別な標記があれば、ピン標記をそのピンの叙述とし、特別な標記がなければ、横方向に設けられた両端点の電子素子は左側の端点を第１端とし、右側の端点を第２端とする。もし垂直に設けられた両端点の電子素子であれば、上側の端点を第１端とし、下側の端点を第２端とする。
【００１１】
〔本考案のブルートゥースゲートウェイ装置の実施例〕
図１を参照し、図１は本考案に係る実施例におけるブルートゥースゲートウェイが第１通信装置を通信接続する模式図である。
【００１２】
本実施例で、ブルートゥースゲートウェイ１は処理モジュール１０、第１ブルートゥースモジュール１１、第２ブルートゥースモジュール１２、第３ブルートゥースモジュール１３、および第４ブルートゥースモジュール１４を含む。
【００１３】
処理モジュール１０は第１ブルートゥースモジュール１１、第２ブルートゥースモジュール１２、第３ブルートゥースモジュール１３、および第４ブルートゥースモジュール１４を電気的に接続する。
【００１４】
第１ブルートゥースモジュール１１、第２ブルートゥースモジュール１２、第３ブルートゥースモジュール１３、および第４ブルートゥースモジュール１４はそれぞれ、第１ブルートゥースアンテナ１１１、第２ブルートゥースアンテナ１２１、第３ブルートゥースアンテナ１３１、および第４ブルートゥースアンテナ１４１を介して、第１電子装置ＥＤ１、第２電子装置ＥＤ２、第３電子装置ＥＤ３、または第４電子装置ＥＤ４から送信された装置ブルートゥース通信信号を受信する。
【００１５】
本実施例で、第１ブルートゥースモジュール１１、第２ブルートゥースモジュール１２、第３ブルートゥースモジュール１３、および第４ブルートゥースモジュール１４はそれぞれ、第１通信順位、第２通信順位、第３通信順位、および第４通信順位を有する。
【００１６】
すなわち、第１ブルートゥースモジュール１１の現在接続状態が接続されていない場合には、第２ブルートゥースモジュール１２、第３ブルートゥースモジュール１３、および第４ブルートゥースモジュール１４は各電子装置と通信接続を行うことができない。
【００１７】
第１ブルートゥースモジュール１１の現在接続状態が接続されている時、第２ブルートゥースモジュール１２は各電子装置と通信接続を行うことができる。しかしながら、第３ブルートゥースモジュール１３、および第４ブルートゥースモジュール１４は、まだ各電子装置と通信接続を行うことができない。
【００１８】
すなわち、第１通信順位を有する第１ブルートゥースモジュール１１、第２通信順位を有する第２ブルートゥースモジュール１２がともに電子装置と接続確立した場合のみに、第３ブルートゥースモジュール１３は他の電子装置と通信接続を行うことができる。
【００１９】
すなわち、第１ブルートゥースモジュール１１、第２ブルートゥースモジュール１２、第３ブルートゥースモジュール１３、および第４ブルートゥースモジュール１４は第１通信順位、第２通信順位、第３通信順位、および第４通信順位のシーケンス順および第１ブルートゥースモジュール１１、第２ブルートゥースモジュール１２、第３ブルートゥースモジュール１３、および第４ブルートゥースモジュールのそれぞれの現在接続状態に基づいて、前記複数の電子装置のうちの一つと通信接続を行うか否かを決定する。
【００２０】
換言すれば、第１ブルートゥースモジュール１１の現在接続状態が接続されていなければ、第１ブルートゥースモジュール１１のみは複数の電子装置ＥＤ１−ＥＤ４のうちの一つと通信接続を行うことができる。
【００２１】
図４および図５を参照し、図４および図５はそれぞれ本考案に係る実施例における第１ブルートゥースモジュールおよび第２ブルートゥースモジュールの模式図である。
【００２２】
本実施例で、以下、第１ブルートゥースモジュール１１および第２ブルートゥースモジュール１２のみの構造と機能について説明し、他のブルートゥースモジュールの構造と機能は第１ブルートゥースモジュール１１および第２ブルートゥースモジュール１２と同様であるため、ここで繰り返して説明する必要がない。
【００２３】
本実施例で、第１ブルートゥースモジュール１１は第１ブルートゥースアンテナ１１１、第１ブルートゥース通信ユニット１１Ａ、第１ストレージユニット１１Ｂ、および第１非同期送受信伝送チャンネル１１Ｃを含む。
【００２４】
第１ブルートゥース通信ユニット１１Ａは第１ブルートゥースアンテナ１１１および第１ストレージユニット１１Ｂを電気的に接続する。第１ブルートゥース通信ユニット１１Ａは第１ブルートゥースアンテナ１１１により複数の通信信号を受信する。第１ストレージユニット１１Ｂは第１ブルートゥース通信ユニット１１Ａを電気的に接続する。第１非同期送受信伝送チャンネル１１Ｃは第１ストレージユニット１１Ｂを電気的に接続する。本実施例で、第１ブルートゥース通信ユニット１１Ａは受信した複数の通信信号が第１非同期送受信伝送チャンネル１１Ｃにより伝送される。すなわち、第１ブルートゥース通信ユニット１１Ａは受信した複数の通信信号が処理モジュール１０により処理されずにそのまま第１非同期送受信伝送チャンネル１１Ｃにより伝送され、従って、処理モジュール１０の資源を節約可能である。
【００２５】
類似的には、第２ブルートゥースモジュール１２は第２ブルートゥースアンテナ１１１、第１ブルートゥース通信ユニット１２Ａ、第２ストレージユニット１２Ｂ、および第１非同期送受信伝送チャンネル１１Ｃを含む。
【００２６】
第２ブルートゥース通信ユニット１２Ａは第２ブルートゥースアンテナ１２１および第２ストレージユニット１２Ｂを電気的に接続する。第２ブルートゥース通信ユニット１２Ａは第２ブルートゥースアンテナ１２１により複数の通信信号を受信する。第２ストレージユニット１２Ｂは第２ブルートゥース通信ユニット１１Ａを電気的に接続する。第２非同期送受信伝送チャンネル１２Ｃは第２ストレージユニット１２Ｂを電気的に接続する。本実施例で、第２ブルートゥース通信ユニット１２Ａは受信した複数の通信信号が第２非同期送受信伝送チャンネル１２Ｃにより伝送される。すなわち、第２ブルートゥース通信ユニット１２Ａは受信した複数の通信信号が処理モジュール１０により処理されずにそのまま第２非同期送受信伝送チャンネル１２Ｃにより伝送され、従って、処理モジュール１０の資源を節約可能である。
【００２７】
図１を参照し、本実施例で、第１非同期送受信伝送チャンネル１１Ｃおよび前記第２非同期送受信伝送チャンネル１２Ｃは伝送した信号が第１無線通信プロトコルにより第１通信装置２を通信接続してから、受信された装置ブルートゥース信号がサーバ３に伝送される。
【００２８】
本実施例で、第１ブルートゥースモジュール１１、第２ブルートゥースモジュール１２、第３ブルートゥースモジュール１３、および第４ブルートゥースモジュール１４の第１非同期送受信伝送チャンネル１１Ｃ、第２非同期送受信伝送チャンネル１２Ｃ、第３非同期送受信伝送チャンネル（図示しない）、および第４非同期送受信伝送チャンネル（図示しない）は第１通信アンテナ２１により第１無線通信プロトコルに基づいて第１通信装置２と通信接続する。
【００２９】
本実施例で、第１非同期送受信伝送チャンネル１１Ｃ、第２非同期送受信伝送チャンネル１２Ｃ、第３非同期送受信伝送チャンネル（未図示）、および第４非同期送受信伝送チャンネル（未図示）は直接メモリアクセス技術（Ｄｉｒｅｃｔ  ｍｅｍｏｒｙ  ａｃｃｅｓｓ、  ＤＭＡ）で達成され、他の実施例で、他の技術で達成されてよく、本考案に制限がない。
【００３０】
本実施例で、第１無線通信プロトコルはワイヤレスフィデリティ通信プロトコル、Ｓｉｇｆｏｘ通信プロトコル、ＬｏＲａ通信プロトコル、第４世代移動通信技術通信プロトコル、または第５世代移動通信技術通信プロトコルを含む。
【００３１】
本実施例で、第１電子装置ＥＤ１、第２電子装置ＥＤ２、第３電子装置ＥＤ３、および第４電子装置ＥＤ４は同時に装置ブルートゥース通信信号を送信し、第１ブルートゥースモジュール１１、第２ブルートゥースモジュール１２、第３ブルートゥースモジュール１３、および第４ブルートゥースモジュール１４はそれぞれ同時に、第１電子装置ＥＤ１、第２電子装置ＥＤ２、第３電子装置ＥＤ３、および第４電子装置ＥＤ４から送信された装置ブルートゥース通信信号を受信するようにし、そうすると、第１電子装置ＥＤ１、第２電子装置ＥＤ２、第３電子装置ＥＤ３、および第４電子装置ＥＤ４が装置ブルートゥース通信信号の送信周期を調整するように、ブルートゥースゲートウェイ装置１はそれぞれ第１電子装置ＥＤ１、第２電子装置ＥＤ２、第３電子装置ＥＤ３、および第４電子装置ＥＤ４に周期調整要求信号を送信する。
【００３２】
本実施例で、第１電子装置ＥＤ１、第２電子装置ＥＤ２、第３電子装置ＥＤ３、および第４電子装置ＥＤ４は送信周期を乱数値に乗じて調整することで、第１電子装置ＥＤ１、第２電子装置ＥＤ２、第３電子装置ＥＤ３、および第４電子装置ＥＤ４から送信された装置ブルートゥース通信信号は順次に受信されて処理されるようにする。
【００３３】
〔本考案のブルートゥースゲートウェイ装置の他の実施例〕
図２を参照し、図２は本考案に係る実施例におけるブルートゥースゲートウェイが第１通信装置を通信接続する他の模式図である。
【００３４】
本実施例でブルートゥースゲートウェイ１’は処理モジュール１０’、第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’を含む。
【００３５】
処理モジュール１０’は第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’を電気的に接続する。
【００３６】
第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’は、それぞれ第１ブルートゥースアンテナ１１１’、第２ブルートゥースアンテナ１２１’、第３ブルートゥースアンテナ１３１’、および第４ブルートゥースアンテナ１４１’、第５ブルートゥースアンテナ１５１’、第６ブルートゥースアンテナ１６１’、第７ブルートゥースアンテナ１７１’、および第８ブルートゥースアンテナ１８１’を介して、第１電子装置ＥＤ１、第２電子装置ＥＤ２、第３電子装置ＥＤ３、または第４電子装置ＥＤ４から送信された装置ブルートゥース通信信号を受信する。
【００３７】
本実施例で、第１ブルートゥースモジュール１１’から第８ブルートゥースモジュール１８’はそれぞれ第１通信順位、第２通信順位、第３通信順位、第４通信順位、第５通信順位、第６通信順位、第７通信順位、および第８通信順位を有する。
【００３８】
すなわち、本実施例で、第１ブルートゥースモジュール１１の現在接続状態が接続されていない場合には、他のブルートゥースモジュール１２’〜１８’は各電子装置と通信接続を行うことができない。
【００３９】
他の実施例で、図２に示すように、第１ブルートゥースモジュール１１’から第８ブルートゥースモジュール１８’は、マトリックスに排列され、従って、それぞれのブルートゥースモジュールは異なる列での順に基づいて電子装置と通信接続を行うことができる。すなわち、第１ブルートゥースモジュール１１’および第５ブルートゥースモジュール１５’はそれぞれ同一の時間帯で電子装置と通信接続を行う。第５ブルートゥースモジュール１５’は第１ブルートゥースモジュール１１’、第２ブルートゥースモジュール１２’、第３ブルートゥースモジュール１３’、第４ブルートゥースモジュール１４’がともに各電子装置と通信接続を行った後、他の電子装置と通信接続を行う必要がなくなる。換言すれば、第５ブルートゥースモジュール１５’の通信順位は第２列の各ブルートゥースモジュールで第１順位になる。
【００４０】
他の実施例で、通信順位の調整と設計は実際の要求に応じて調整してよく、本考案に制限がない。
【００４１】
本実施例で、第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’の第１非同期送受信伝送チャンネル（未図示）、第２非同期送受信伝送チャンネル（未図示）、第３非同期送受信伝送チャンネル（未図示）、第４非同期送受信伝送チャンネル（未図示）、第５非同期送受信伝送チャンネル（未図示）、第６非同期送受信伝送チャンネル（未図示）、第７非同期送受信伝送チャンネル（未図示）、および第８非同期送受信伝送チャンネル（未図示）は第１通信アンテナ２１’により第１無線通信プロトコルに基づいて第１通信装置２’と通信接続を行う。
【００４２】
図３を参照し、図３は本考案に係る実施例におけるブルートゥースゲートウェイが第１通信装置を通信接続する他の模式図である。
【００４３】
図３のブルートゥースゲートウェイ装置１’は図２のブルートゥースゲートウェイ装置１’とほとんど同様であるが、相違点について本実施例で、第１ブルートゥースモジュール１１’、第２ブルートゥースモジュール１２’、第３ブルートゥースモジュール１３’、第４ブルートゥースモジュール１４’、第５ブルートゥースモジュール１５、第６ブルートゥースモジュール１６’、第７ブルートゥースモジュール１７’、および第８ブルートゥースモジュール１８’の第１非同期送受信伝送チャンネル（図示しない）、第２非同期送受信伝送チャンネル（図示しない）、第３非同期送受信伝送チャンネル（図示しない）、第４非同期送受信伝送チャンネル（図示しない）、第５非同期送受信伝送チャンネル（図示しない）、第６非同期送受信伝送チャンネル（図示しない）、第７非同期送受信伝送チャンネル（図示しない）、および第８非同期送受信伝送チャンネル（図示しない）はそれぞれ第１通信アンテナ２１’および第２通信アンテナ２２’により第１通信装置２’と通信接続を行う。
【００４４】
本実施例で、第１ブルートゥースモジュール１１’、第２ブルートゥースモジュール１２’、第３ブルートゥースモジュール１３’、および第４ブルートゥースモジュール１４’の第１非同期送受信伝送チャンネル（図示しない）、第２非同期送受信伝送チャンネル（図示しない）、第３非同期送受信伝送チャンネル（図示しない）、第４非同期送受信伝送チャンネル（図示しない）は第１無線通信プロトコルにより第１通信装置２’と通信接続を行う。
【００４５】
第５ブルートゥースモジュール１５、第６ブルートゥースモジュール１６’、第７ブルートゥースモジュール１７’、および第８ブルートゥースモジュール１８’の第５非同期送受信伝送チャンネル（図示しない）、第６非同期送受信伝送チャンネル（図示しない）、第７非同期送受信伝送チャンネル（図示しない）、および第８非同期送受信伝送チャンネル（図示しない）は第２無線通信プロトコルにより第１通信装置２’と通信接続を行う。
【００４６】
本実施例で、第１無線通信プロトコルおよび第２無線通信プロトコルはそれぞれワイヤレスフィデリティ通信プロトコル、Ｓｉｇｆｏｘ通信プロトコル、ＬｏＲａ通信プロトコル、第４世代移動通信技術通信プロトコル、または第５世代移動通信技術通信プロトコルを含む。
【００４７】
〔実施例の産業上の利用可能性〕
本考案のブルートゥースゲートウェイ装置は複数のブルートゥースモジュールおよび予め設定された通信順序で、複数の電子装置の装置ブルートゥース信号がリアルタイムに処理されるようにし、ユーザの体験が著しく向上し、さらに、本考案のブルートゥースゲートウェイ装置は各電子装置に送信周期を調整するように周期調整要求信号を送信でき、有効に処理の効率を高める。
【００４８】
以上は本考案の実施例にすぎず、本考案の実用新案登録請求の範囲を制限するものではない。
【符号の説明】
【００４９】
１、１’  ブルートゥースゲートウェイ装置
２、２’  第１通信装置
３、３’  サーバ
１０、１０’    処理モジュール
１１、１１’    第１ブルートゥースモジュール
１２、１２’    第２ブルートゥースモジュール
１３、１３’    第３ブルートゥースモジュール
１４、１４’    第４ブルートゥースモジュール
１５’    第５ブルートゥースモジュール
１６’    第６ブルートゥースモジュール
１７’    第７ブルートゥースモジュール
１８’    第８ブルートゥースモジュール
１１１、１１１’    第１ブルートゥースアンテナ
１２１、１２１’    第２ブルートゥースアンテナ
１３１、１３１’    第３ブルートゥースアンテナ
１４１、１４１’    第４ブルートゥースアンテナ
１５１’    第５ブルートゥースアンテナ
１６１’    第６ブルートゥースアンテナ
１７１’    第７ブルートゥースアンテナ
１８１’    第８ブルートゥースアンテナ
ＥＤ１    第１電子装置
ＥＤ２    第２電子装置
ＥＤ３    第３電子装置
ＥＤ４    第４電子装置
２１、２１’    第１通信アンテナ
２２’    第２通信アンテナ
１１Ａ    第１ブルートゥース通信ユニット
１１Ｂ    第１ストレージユニット
１１Ｃ    第１非同期伝送チャンネル
１２Ａ    第２ブルートゥース通信ユニット
１２Ｂ    第２ストレージユニット
１２Ｃ    第２非同期伝送チャンネル
【手続補正書】
【提出日】平成31年4月7日(2019.4.7)
【手続補正１】
【補正対象書類名】実用新案登録請求の範囲
【補正対象項目名】全文
【補正方法】変更
【補正の内容】
【実用新案登録請求の範囲】
【請求項１】
複数の電子装置を通信接続するためのブルートゥースゲートウェイ装置であって、前記複数の電子装置はそれぞれ装置ブルートゥース通信信号を送信し、
前記ブルートゥースゲートウェイ装置は、
第１通信順位を有する第１ブルートゥースモジュールと、
前記第１ブルートゥースモジュールを電気的に接続し、第２通信順位を有する第２ブルートゥースモジュールと、
を含み、
前記第１ブルートゥースモジュールおよび前記第２ブルートゥースモジュールは、前記第１通信順位および前記第２通信順位のシーケンス順と、前記第１ブルートゥースモジュールおよび前記第２ブルートゥースモジュールのそれぞれの現在接続状態とに基づいて、前記複数の電子装置のうちの一つと通信接続を行うか否かを決定する、ブルートゥースゲートウェイ装置。
【請求項２】
前記第１ブルートゥースモジュールの現在接続状態が接続しており、かつ前記第２ブルートゥースモジュールの前記現在接続状態が接続されていない場合限り、前記第２ブルートゥースモジュールは前記複数の電子装置のうちの一つと通信接続となり、
前記第１ブルートゥースモジュールの現在接続状態が接続しない場合、前記第１ブルートゥースモジュールは前記複数の電子装置のうちの一つと通信接続を行う、請求項１に記載のブルートゥースゲートウェイ装置。
【請求項３】
前記第１ブルートゥースモジュールは、
複数の通信信号を受信するための第１ブルートゥース通信ユニットと、
前記第１ブルートゥース通信ユニットを電気的に接続する第１ストレージユニットと、
前記第１ブルートゥース通信ユニットおよび前記第１ストレージユニットを電気的に接続する第１非同期送受信伝送チャンネルと
を含み、
前記第１ブルートゥース通信ユニットが受信した複数の通信信号は、前記第１非同期送受信伝送チャンネルにより伝送され、
前記第２ブルートゥースモジュールは、
複数の通信信号を受信するための第２ブルートゥース通信ユニットと、
前記第２ブルートゥース通信ユニットを電気的に接続する第２ストレージユニットと、
前記第２ブルートゥース通信ユニットおよび前記第２ストレージユニットを電気的に接続する第２非同期送受信伝送チャンネルと
を含み、
前記第２ブルートゥース通信ユニットが受信した複数の通信信号は、前記第２非同期送受信伝送チャンネルにより伝送される、請求項１に記載のブルートゥースゲートウェイ装置。
【請求項４】
前記複数の電子装置のうちの二つは同時に前記装置ブルートゥース通信信号を送信し、かつ前記第１ブルートゥースモジュールおよび前記第２ブルートゥースモジュールはそれぞれ同時に前記複数の電子装置のうちの二つの装置ブルートゥース通信信号を受信すると、前記複数の電子装置のうちの二つが装置ブルートゥース通信信号の送信周期を調整するように、前記ブルートゥースゲートウェイ装置はそれぞれ前記複数の電子装置のうちの二つに周期調整要求信号を送信する、請求項３に記載のブルートゥースゲートウェイ装置。
【請求項５】
前記第１非同期送受信伝送チャンネルおよび前記第２非同期送受信伝送チャンネルにより伝送された信号は第１無線通信プロトコルによりサーバに伝送される、請求項３に記載のブルートゥースゲートウェイ装置。